(57)【要約】【課題】被写体である人物の瞳に写ったキャッチライトに影が強く出てしまうのを防止することができ、やわらかい雰囲気の被写体の画像を写すことができる投射機能付きカメラを提供する。【解決手段】本発明は、被写体を撮像して画像を取得する撮像ユニット１００と、撮像ユニット１００で取得した画像の投射像またはキャッチライト像を形成して投射する投射ユニット２００と、撮像ユニット１００で被写体を撮像するとき、投射ユニット２００からキャッチライト像を投射するＣＰＵ１０１Ａとを備えるものである。【選択図】図２
2008249956.tif 000002
【特許請求の範囲】
【請求項１】
被写体を撮像して画像を取得する撮像手段と、
前記撮像手段で取得した画像の投射像またはキャッチライト像を形成して投射する投射手段と、
前記撮像手段で被写体を撮像するとき、前記投射手段から前記キャッチライト像を投射する制御手段とを備えることを特徴とする投射機能付きカメラ。
【請求項２】
請求項１に記載のカメラにおいて、
前記撮像手段が被写体を撮像するときの撮影モードを設定するモード設定手段と、
前記画像に対して顔認識処理を実行して当該画像内に存在する人物の顔を検出する顔検出手段とを備え、
前記制御手段は、前記撮影モードがポートレートモードに設定されているとき、前記顔検出手段の前記顔認識処理により前記顔が検出されると、前記投射手段から前記キャッチライト像を投射することを特徴とする投射機能付きカメラ。
【請求項３】
請求項１に記載のカメラにおいて、
前記撮像手段が被写体を撮像するときの撮影モードを設定するモード設定手段とを備え、
前記制御手段は、前記撮影モードが夜景ポートレートモードに設定されているとき、前記投射手段から前記キャッチライト像を投射するとともに、前記被写体を照明する照明光を発する照明手段をスローシンクロモードで動作させて被写体を撮影することを特徴とする投射機能付きカメラ。
【請求項４】
請求項１に記載のカメラにおいて、
前記画像に対して顔認識処理を実行して当該画像内に存在する人物の顔を検出する顔検出手段を備え、
前記制御手段は、記顔検出手段による前記顔認識処理により前記顔が検出されると、前記投射手段から前記キャッチライト像を投射することを特徴とする投射機能付きカメラ。
【請求項５】
請求項１に記載のカメラにおいて、
前記撮像手段が被写体を撮像するときの感度を設定する感度設定手段と、
前記投射手段から前記キャッチライト像を投射する場合、前記照明手段の発光を禁止し、前記照明手段の発光を許可する場合に比べて前記感度を高く補正する感度補正手段とを備えることを特徴とする投射機能付きカメラ。
【請求項６】
請求項１に記載のカメラにおいて、
前記撮像手段に撮影を指示するレリーズスイッチと、
前記レリーズスイッチが半押しされると前記投射手段からキャッチライト像を投射し、前記被写体からの反射光を受光して露出値を算出する算出手段とを備え、
前記制御手段は、前記レリーズスイッチが全押しされると前記投射手段からキャッチライト像を投射し、前記算出手段で算出した前記露出値により前記撮像手段により被写体を撮像することを特徴とする投射機能付きカメラ。
【請求項７】
請求項６に記載のカメラにおいて、
前記制御手段は、前記算出手段で前記露出値が算出されると前記投射手段からのキャッチライト像の投射を中止することを特徴とする投射機能付きカメラ。
【請求項８】
請求項１乃至７のいずれか１項に記載のカメラにおいて、
前記制御手段は、前記キャッチライト像を肌色成分を含む色光として照射することを特徴とする投射機能付きカメラ。
【請求項９】
請求項１乃至８のいずれか１項に記載のカメラにおいて、
前記制御手段は、前記被写体までの撮影距離が所定値以上のとき、前記投射手段からのキャッチライト像の投射を禁止して前記撮像手段による撮像を行うことを特徴とする投射機能付きカメラ。
【発明の詳細な説明】
【技術分野】
【０００１】
本発明は、投射機能付きカメラに関する。
【背景技術】
【０００２】
ストロボ装置のストロボ光を被写体である人物の瞳に反射させてキャッチライト撮影を行うカメラが従来技術として知られている（たとえば、特許文献１参照）。
【特許文献１】特開２００１−９１９７９号公報
【発明の開示】
【発明が解決しようとする課題】
【０００３】
特許文献１に記載のカメラでは、ストロボ光を使用するので被写体である人物の瞳に写ったキャッチライトに影が強く出てしまい、被写体が硬い感じに写ってしまうという問題点がある。
【課題を解決するための手段】
【０００４】
（１）請求項１の発明の投射機能付きカメラは、被写体を撮像して画像を取得する撮像手段と、撮像手段で取得した画像の投射像またはキャッチライト像を形成して投射する投射手段と、撮像手段で被写体を撮像するとき、投射手段からキャッチライト像を投射する制御手段とを備えることを特徴とする。
（２）請求項２の発明は、請求項１に記載のカメラにおいて、撮像手段が被写体を撮像するときの撮影モードを設定するモード設定手段と、画像に対して顔認識処理を実行して当該画像内に存在する人物の顔を検出する顔検出手段とを備え、制御手段は、撮影モードがポートレートモードに設定されているとき、顔検出手段の顔認識処理により顔が検出されると、投射手段からキャッチライト像を投射することを特徴とする。
（３）請求項３の発明は、請求項１に記載のカメラにおいて、撮像手段が被写体を撮像するときの撮影モードを設定するモード設定手段とを備え、制御手段は、撮影モードが夜景ポートレートモードに設定されているとき、投射手段からキャッチライト像を投射するとともに、被写体を照明する照明光を発する照明手段をスローシンクロモードで動作させて被写体を撮影することを特徴とする。
（４）請求項４の発明は、請求項１に記載のカメラにおいて、画像に対して顔認識処理を実行して当該画像内に存在する人物の顔を検出する顔検出手段を備え、制御手段は、記顔検出手段による顔認識処理により顔が検出されると、投射手段からキャッチライト像を投射することを特徴とする。
（５）請求項５の発明は、請求項１に記載のカメラにおいて、撮像手段が被写体を撮像するときの感度を設定する感度設定手段と、投射手段からキャッチライト像を投射する場合、照明手段の発光を禁止し、照明手段の発光を許可する場合に比べて感度を高く補正する感度補正手段とを備えることを特徴とする。
（６）請求項６の発明は、請求項１に記載のカメラにおいて、撮像手段に撮影を指示するレリーズスイッチと、レリーズスイッチが半押しされると投射手段からキャッチライト像を投射し、被写体からの反射光を受光して露出値を算出する算出手段とを備え、制御手段は、レリーズスイッチが全押しされると投射手段からキャッチライト像を投射し、算出手段で算出した露出値により撮像手段により被写体を撮像することを特徴とする。
（７）請求項７の発明は、請求項６に記載のカメラにおいて、制御手段は、算出手段で露出値が算出されると投射手段からのキャッチライト像の投射を中止することを特徴とする。
（８）請求項８の発明は、請求項１乃至７のいずれか１項に記載のカメラにおいて、制御手段は、キャッチライト像を肌色成分を含む色光として照射することを特徴とする。
（９）請求項９の発明は、請求項１乃至８のいずれか１項に記載のカメラにおいて、制御手段は、被写体までの撮影距離が所定値以上のとき、投射手段からのキャッチライト像の投射を禁止して撮像手段による撮像を行うことを特徴とする。
【発明の効果】
【０００５】
本発明によれば、撮像手段で被写体を撮像するとき、投射手段からキャッチライト像を投射する。したがって、被写体である人物の瞳に写ったキャッチライトに影が強く出てしまうのを防止することができ、やわらかい雰囲気の被写体の画像を写すことができる。
【発明を実施するための最良の形態】
【０００６】
以下、図面を参照して本発明を実施するための最良の形態について説明する。図１は、本発明の一実施の形態による投射機能付きカメラ１を前方から見た図である。図１において、投射機能付きカメラ１の正面には、撮像光学系１２１を構成する撮影レンズ１２１Ａと、投影光学系２２１を構成する投影レンズ２２１Ａと、照明光窓１０６Ａとが設けられている。投射機能付きカメラ１は、机上などに載置された状態、または不図示のクレードル上に載置された状態で、前方のスクリーンなどに向けて、内蔵する投射ユニット２００（プロジェクタ）によって画像などの投影情報を投影する。投射機能付きカメラ１の上面には、レリーズスイッチ１０３Ａが設けられている。後述する撮像ユニット１００（図２）の撮像光学系１２１と、投射ユニット２００の投影光学系２２１とは縦方向に並べて配設される。
【０００７】
図２は、投射機能付きカメラ１の構成を説明するブロック図である。図２において投射機能付きカメラ１は、投射ユニット２００と、撮像ユニット１００と、ＣＰＵ１０１Ａなどを含む制御回路１０１と、メモリ１０２と、操作部材１０３と、液晶モニタ１０５と、外部インターフェイス（Ｉ／Ｆ）回路１０４と、照明装置１０６と、測光装置１０７とを備え、着脱可能なメモリカード１５０が実装される。
【０００８】
ＣＰＵ１０１Ａは、制御プログラムに基づいて、カメラ内各部から入力される信号を用いて所定の演算を行うなどして、カメラ内各部に対する制御信号を送出することにより、投射機能付きカメラ１の撮影動作および投影動作をそれぞれ制御する。なお、制御プログラムはＣＰＵ１０１Ａ内の不図示のＲＯＭに格納される。
【０００９】
メモリ１０２はＣＰＵ１０１Ａの作業用メモリとして使用される。操作部材１０３はレリーズスイッチ１０３Ａを含み、操作されたボタンやスイッチに対応する操作信号をＣＰＵ１０１Ａへ送出する。メモリカード１５０は、ＣＰＵ１０１Ａの指示によりデータの書き込み、保存および読み出しが可能である。
【００１０】
液晶モニタ１０５は、ＣＰＵ１０１Ａからの指示により画像やテキストなどの情報を表示する。テキスト情報は、投射機能付きカメラ１の操作メニュー、メッセージなどである。外部インターフェイス回路１０４は、ＣＰＵ１０１Ａからの指示により不図示のケーブルまたは無線通信ユニットを介して外部機器（パーソナルコンピュータ、クレードルなど）との間でコマンドおよびデータを送受信する。
【００１１】
撮像ユニット１００は撮像光学系１２１、撮像素子１２２および撮像制御回路１２３を有し、ＣＰＵ１０１Ａからの指示に応じて被写体の撮像を行う。撮像光学系１２１は、撮像素子１２２の撮像面上に被写体像を結像させる。撮像素子１２２としては、ＣＣＤやＣＭＯＳ撮像素子などが用いられる。撮像制御回路１２３は、ＣＰＵ１０１Ａからの指示により撮像素子１２２を駆動制御するとともに、撮像素子１２２から出力される画像信号に対して所定の信号処理を行う。信号処理後の画像のデータは、所定形式の画像ファイルとしてメモリカード１５０に記録される。
【００１２】
照明装置１０６は、撮影時にＣＰＵ１０１Ａから発光指示された場合に所定光量でたとえば閃光発光し、被写体を照明する。照明光は照明光窓１０６Ａを介してカメラ前方へ射出される。
【００１３】
測光装置１０７は、測光センサによる検出信号を用いて被写体の輝度を算出し、輝度情報をＣＰＵ１０１Ａへ送出する。ＣＰＵ１０１Ａは輝度情報に基づき、撮影モード時には露出演算を行い、露出値を算出する。
【００１４】
投射ユニット２００は、投影光学系２２１、液晶パネル２２２、ＬＥＤ光源２２３、および投射制御回路２２４を含む。ＬＥＤ光源２２３は、供給電流に応じた明るさで液晶パネル２２２を照明する。液晶パネル２２２は、投射制御回路２２４からの駆動信号に応じて光像を生成する。投影光学系２２１は、液晶パネル２２２から射出される光像を投射する。投射制御回路２２４は、ＣＰＵ１０１Ａからの指示により、ＬＥＤ光源２２３および液晶パネル２２２へ制御信号を送出する。
【００１５】
投射ユニット２００は、メモリカード１５０内に保存されている画像データの他、外部インターフェイス回路１０４を介して外部機器から供給される画像データによる再生画像を投影可能に構成され、ＣＰＵ１０１Ａから指示された画像を投影する。
【００１６】
投射機能付きカメラ１は、撮像ユニット１００で撮影を行う撮影モードと、投射ユニット２００から情報を投影する投影モードとを有する。撮影モードには、ユーザのイメージ通りの写真が撮影できるようにするため、顔の撮影に適したモード（以下、「フェイスクリアモード」と呼ぶ）、「ポートレートモード」、「夜景ポートレートモード」などの撮影の状況に合わせた複数のシーンモードを有している。ユーザが操作部材１０３の操作によりシーンモードを選択すると、それぞれの撮影の状況に合わせたシャッタスピードや絞り、撮像感度などの撮影条件が投射機能付きカメラ１に設定される。
【００１７】
「フェイスクリアモード」は、撮影して取得した画像内で検出された人物の顔に焦点を合わせ、被写体を撮影するモードである。「ポートレートモード」は、人物を撮影するのに適した撮影条件で被写体を撮影するモードである。たとえば、絞りを開放気味としてシャッタスピードを高速にし、被写界深度を浅くする。「夜景ポートレートモード」は、人物と背景の夜景とを同時に撮影するのに適した撮影条件で被写体を撮影するモードであり、夜景に露出を合わせるとともに照明装置１０６を閃光発光させて撮影する。本実施形態は、撮影モードにおいて「フェイスクリアモード」、「ポートレートモード」および「夜景ポートレートモード」が指示された場合の動作に特徴を有するので、この動作を中心に説明する。
【００１８】
＜フェイスクリアモード＞
上述した「フェイスクリアモード」について、詳細に説明する。「フェイスクリアモード」が指示されると、投射機能付きカメラ１は、撮影モード時にオートフォーカスの対象とするエリア（フォーカスエリア）を決定するため、「顔認識」処理を実行可能に構成されている。顔認識は、撮影時の撮影準備画像（いわゆるスルー画像）の中から人物の顔に対応する画像領域を抽出するものである。スルー画像は、撮影指示前に撮像素子１２２で逐次撮像され、液晶モニタ１０５に再生表示される画像である。
【００１９】
ＣＰＵ１０１Ａは、スルー画像の中から以下のように顔領域を抽出する。抽出方法としては、特開平９−１３８４７０号公報に開示されるように、肌色などの特定色を抽出する方法、目や鼻などの特定形状パターンを抽出する方法、背景に相当すると推定される領域を除去する方法等の複数の異なる抽出方法をあらかじめ評価して重みを定め、各抽出方法で主要な被写体像（主要部）を抽出し、抽出された主要部を定めた重みで重み付けし、その結果に応じて主要部を判定および抽出する。
【００２０】
また、別の主要部抽出方法としては、特開平９−１３８４７１号公報に開示される次のような手法もある。画像中の複数点の濃度または輝度を測定してその変化量を求め、変化量が所定値以上の点を基準点として設定する。その後、基準点から所定範囲内で濃度等の変化量等を用いて検索範囲および検索方向パターンを設定し、検索範囲内で検索方向パターンが示す方向における濃度等の変化量が所定値以上の箇所を検索する。次いでこの箇所を基準として検索を行うことを繰り返し、検索・設定した基準点を結んで主要部を抽出する。
【００２１】
ＣＰＵ１０１Ａは、液晶モニタ１０５に表示しているスルー画像について顔領域を抽出し、液晶モニタ１０５に抽出した顔領域を示す枠表示を行う。図３（ａ）は、この場合における液晶モニタ１０５の表示画面を例示する図である。図３（ａ）において、顔３０が検出され、検出した顔（上記抽出した顔）を示す枠３１がスルー画像に重ねてオーバーレイ表示される。
【００２２】
ＣＰＵ１０１Ａは、このように認識した顔を示す枠３１内に対応する画像データを用いてフォーカス調節を行うことにより、認識した顔にピント合わせを行う。複数の顔を認識した場合には、たとえばカメラに最至近の顔を対象にピント合わせを行う。撮像光学系１２１を構成するフォーカスレンズのピント合わせ後の位置（合焦位置）は、カメラから被写体（顔）までの距離に応じて異なる。
【００２３】
ＣＰＵ１０１Ａは、ピント合わせが完了すると投射ユニット２００から被写体に向けてキャッチライト像を投射する。ここで、キャッチライト像とは、被写体である人物の少なくとも顔全体に投影される均一な白色の矩形または円形の投影像である。そして、ＣＰＵ１０１Ａは、レリーズスイッチ１０３Ａが押されて撮影が指示されると所定の撮影条件で被写体の撮像を行う。これにより、図３（ｂ）に示すように、投影光を被写体である人物の瞳に反射させて撮影することができ、いわゆるキャッチライト撮影を行うことができる。ここで、照明装置１０６の閃光発光によるキャッチライトには影が強く出てしまい、被写体が硬い感じに撮影されるので、ＣＰＵ１０１Ａは照明装置１０６による閃光発光を指示しない。
【００２４】
ＣＰＵ１０１Ａは、「フェイスクリアモード」が設定されると、認識した顔にピントを合わせて撮影した画像の中に、人物の目が赤く写る赤目現象を検出すると、赤目部分を画像処理により修正する。さらに、ＣＰＵ１０１Ａは、認識した顔にピントを合わせて撮影した画像に対して、人物の顔の部分を明るくするような画像処理を施し、この画像処理後の画像を液晶モニタ１０５に再生表示する。また、この画像は、メモリカード１５０に記録される。
【００２５】
＜ポートレートモード＞
上述した「ポートレートモード」について、詳細に説明する。「ポートレートモード」が指示されると、投射機能付きカメラ１は、撮影モード時に上述したフォーカスエリアを決定するため、上述の「顔認識」処理を実行する。そして、検出した顔にピント合わせを行う。
【００２６】
ＣＰＵ１０１Ａは、人物の撮影に適した条件に撮影条件を設定する。上述したように絞りを開き気味としてシャッタスピードを速く設定し、被写界深度を浅くする。これにより、人物は明確に撮影され、背景はぼやけて撮影されるため、人物を際立たせて撮影することができる。人物の撮影に適した条件は、メモリ１０２に予め記憶されている。
【００２７】
ＣＰＵ１０１Ａは、ピント合わせが完了すると、「フェイスクリアモード」と同様に、投射ユニット２００から被写体に向けてキャッチライト像を投射する。そして、ＣＰＵ１０１Ａは、レリーズスイッチ１０３Ａが押されて撮影が指示されると、人物の撮影に適した撮影条件で被写体の撮像を行う。これにより、投影光を被写体である人物の瞳に反射させて撮影することができる。上述と同様に、このときもＣＰＵ１０１Ａは照明装置１０６による閃光発光を指示しない。
【００２８】
＜夜景ポートレートモード＞
上述した「夜景ポートレートモード」について詳細に説明する。「夜景ポートレートモード」が指示されると、ＣＰＵ１０１Ａは、人物と夜景とを適切に撮影できるようにするため、撮影条件としてスローシンクロ撮影を設定する。これにより、夜景に露出を合わせながら照明装置１０６を閃光発光させて撮影することができる。そして、投射ユニット２００から被写体に向けて白色の投影光を投射する。ＣＰＵ１０１Ａは、レリーズスイッチ１０３Ａが押されて撮影が指示されると、被写体にキャッチライト像を投射しながらスローシンクロ撮影を行う。これにより、投射モジュール２００による投影光と照明装置１０６による閃光とを被写体である人物の瞳に反射させて撮影することができる。
【００２９】
図４は、投射機能付きカメラ１０のＣＰＵ１０１Ａが撮影モードにおいて実行するプログラムによる撮影処理を説明するフローチャートである。図４による処理は、操作部材１０３の操作によって撮影モードに切り替わるとスタートする。
【００３０】
図４のステップＳ４０１では、レリーズスイッチ１０３Ａが半押しされたか否かを判定する。ここで半押しとは、ユーザがレリーズスイッチ１０３Ａを軽く抵抗を感じるところまで押して、そのまま指を止めるレリーズスイッチ１０３Ａの押圧状態をいう。さらに、ユーザがレリーズスイッチ１０３Ａを半押しの状態から深く押し込むことを全押しという。レリーズスイッチ１０３Ａが半押しされている場合はステップＳ４０１が肯定判定され、ステップＳ４０２へ進む。レリーズスイッチ１０３Ａが半押しされていない場合はステップＳ４０１を繰り返す。
【００３１】
ステップＳ４０２では、シーンモードの中から「フェイスクリアモード」、「ポートレートモード」および「夜景ポートレートモード」のいずれかが選択されたか否かを判定する。シーンモードの中から「フェイスクリアモード」、「ポートレートモード」および「夜景ポートレートモード」のいずれかが選択された場合はステップＳ４０２が肯定判定され、ステップＳ４０３へ進む。シーンモードの中から「フェイスクリアモード」、「ポートレートモード」および「夜景ポートレートモード」以外のシーンモードが選択された場合はステップＳ４０２が否定判定され、ステップＳ４１４へ進む。
【００３２】
ステップＳ４０３では、自動焦点調節（ＡＦ）を実行する。自動焦点調節は、上述の「顔認識」処理を実行し、スルー画像における検出した顔のコントラストが最大になるように撮像光学系１２１のフォーカスレンズ位置を調整することによって行う。ステップＳ４０４では、被写体までの距離が１．０ｍ以上、１．５ｍ未満であるか否かを判定する。被写体までの距離は以下のようにして検出する。
【００３３】
被写体までの距離と、被写体に合焦したときのフォーカシングレンズ位置との関係を示すレンズの焦点距離ごとのテーブルがメモリ１０２に予め記憶されている。そして、被写体に合焦したときのフォーカスレンズ位置をそのテーブルと照合することによって被写体までの距離を検出する。被写体までの距離が１．０ｍ以上、１．５ｍ未満である場合はステップＳ４０４が肯定判定され、ステップＳ４０５へ進む。被写体までの距離が１．０ｍ未満の場合、または１．５ｍ以上の場合はステップＳ４０４が否定判定され、ステップＳ４０６へ進む。
【００３４】
ステップＳ４０５では、投射ユニット２００より被写体に向けてキャッチライト像を投射する。ステップＳ４０６では、測光装置１１２より出力された輝度情報に基づいて自動露出制御（ＡＥ）を行う。ステップＳ４０７では、投射ユニット２００によるキャッチライト像の投射を停止する。
【００３５】
ステップＳ４０８では、シーンモードが「夜景ポートレートモード」であるか否かを判定する。シーンモードが「夜景ポートレートモード」である場合はステップＳ４０８が肯定判定され、ステップＳ４０９へ進む。シーンモードが「夜景ポートレートモード」でない場合はステップＳ４０８が否定判定され、ステップＳ４１０へ進む。ステップＳ４０９では、投射機能付きカメラ１の撮影をスローシンクロ撮影に設定する。ステップＳ４１０では、照明装置１０６による閃光の発光を禁止する。
【００３６】
ステップＳ４１１では、レリーズスイッチ１０３Ａが全押しされたか否かを判定する。レリーズスイッチ１０３Ａが全押しされた場合はステップＳ４１１が肯定判定され、ステップＳ４１２へ進む。レリーズスイッチ１０３Ａが全押しされない場合はステップＳ４１１が否定判定され、ステップＳ４１５へ進む。ステップＳ４１２では、投射ユニット２００より被写体に向けてキャッチライト像を投射する。ステップＳ４１３では、選択されたシーンモードに基づいた撮影条件で撮影を行う。たとえば、「夜景ポートレートモード」の場合はスローシンクロ撮影を行う。
【００３７】
ステップＳ４１４では、選択されたシーンモードに基づいて撮影条件を設定する。そして、ステップＳ４１３に進む。
【００３８】
ステップＳ４１５では、レリーズスイッチ１０３Ａが半押しされたか否かを判定する。レリーズスイッチ１０３Ａが半押しされている場合はステップＳ４１５が肯定判定され、ステップＳ４１１に戻る。レリーズスイッチ１０３Ａが半押しされていない場合はステップＳ４１５が否定判定され、ステップＳ４０１に戻る。
【００３９】
以上説明した実施形態によれば、次の作用効果が得られる。
（１）撮像ユニット１００で被写体を撮像するとき、投射ユニット２００からキャッチライト像を投射するようにした。したがって、被写体である人物の瞳に写ったキャッチライトに影が強く出てしまうのを防止することができ、やわらかい雰囲気の被写体の画像を写すことができる。
【００４０】
（２）撮影モードがポートレートモードに設定されているとき、顔認識処理により顔が検出されると、投射ユニット２００からキャッチライト像を投射するようにした。したがって、ポートレートモードで人物を撮影すると、自動的に投射ユニット２００によるキャッチライト撮影を行うことができ、利便性が向上する。
【００４１】
（３）撮影モードが夜景ポートレートモードに設定されているとき、投射ユニット２００からキャッチライト像を投射するとともに、被写体を照明する照明光を発する照明装置１０６をスローシンクロモードで動作させて被写体を撮影するようにした。したがって、キャッチライト像を瞳に反射させた人物と夜景とを適切に撮影することができる。
【００４２】
（４）顔認識処理により顔が検出されると、投射ユニット２００からキャッチライト像を投射するようにした。したがって、人物を撮影すると、自動的に投射ユニット２００によるキャッチライト撮影を行うことができ、利便性が向上する。
【００４３】
（５）レリーズスイッチ１０３Ａが半押しされると投射ユニット２００からキャッチライト像を投射し、測光装置１０７が被写体からの反射光を受光してＣＰＵ１０１Ａが露出値を算出した。そして、レリーズスイッチ１０３Ａが全押しされると投射ユニット２００からキャッチライト像を投射し、ＣＰＵ１０１Ａが算出した露出値により撮像ユニット１００により被写体を撮像するようにした。したがって、適切な露出でキャッチライト撮影を行うことができ、利便性が向上する。この場合、露出値が算出されると投射ユニット２００からのキャッチライト像の投射を中止するようにしたので、露出値が算出されているにもかかわらず露出値を算出するためのキャッチライト像を投射するという電力の無駄を防止することができる。これにより、投射機能付きカメラ１を駆動する不図示のバッテリの寿命を長くすることができる。
【００４４】
（６）被写体までの撮影距離が所定値（たとえば１．５ｍ）以上のとき、投射ユニット２００からのキャッチライト像の投射を禁止して撮像を行うようにした。したがって、被写体までの距離が離れすぎてキャッチライトが写らないにもかかわらずキャッチライト像を投射するという電力の無駄を防止することができる。これにより、投射機能付きカメラ１を駆動する不図示のバッテリの寿命を長くすることができる。
【００４５】
以上の実施の形態を次のように変形することができる。
（１）照明装置１０６による照明光の発光を禁止する場合は、照明装置１０６による照明光の発光を許可する場合に比べて撮像感度を高く補正するようにしてもよい。たとえば、照明装置１０６による照明光の発光を許可する場合は撮像感度をＩＳＯ１００にし、照明装置１０６による照明光の発光を禁止する場合は撮像感度をＩＳＯ４００にするようにしてもよい。投影ユニット２００による照明は、照明装置１０６による照明に比べて暗いので、適切な撮像感度で撮像を行うことができる。
【００４６】
（２）キャッチライト像は白色光として説明したが、たとえば、キャッチライト像を、肌色成分を含む色光としてもよい。被写体の血色が良好であるように撮像することができる。また、人物の少なくとも顔全体を照射できるものであれば、キャッチライト像の形状は矩形または円形に限定されない。
【００４７】
（３）「ポートレートモード」の撮影条件は、人物を撮影するのに適した撮影条件であれば実施形態に限定されない。また、「夜景ポートレートモード」は、人物と背景の夜景とを同時に撮影するのに適した撮影条件であれば、実施形態に限定されない。
【００４８】
（４）照明装置１０６をＬＥＤにより構成してもよい。
【００４９】
以上の説明はあくまで一例であり、本発明は上記実施形態の構成に何ら限定されるものではない。
【図面の簡単な説明】
【００５０】
【図１】本発明の一実施の形態による投射機能付きカメラを前方から見た図である。
【図２】投射機能付きカメラの構成を説明するブロック図である。
【図３】図３（ａ）は抽出した顔領域を示す表示を例示する図であり、図３（ｂ）は撮影した画像を説明するための図である。
【図４】ＣＰＵが実行する撮影処理の流れを説明するフローチャートである。
【符号の説明】
【００５１】
１００  撮像ユニット
１０１  制御回路
１０１Ａ  ＣＰＵ
１０３Ａ  レリーズスイッチ
１０５  液晶モニタ
１０６  照明装置
１０７  測光装置
１２１  撮影光学系
２００  投射ユニット
２２１  投影光学系
【図１】
2008249956.tif 000003
【図２】
2008249956.tif 000004
【図３】
2008249956.tif 000005
【図４】
2008249956.tif 000006